(57)【要約】【課題】  縦型のコンパクト容器の左右の側辺を掴んだままの状態でも、蓋体を簡単に開けることができる背面フックコンパクト容器を提供する。【解決手段】  背面フックコンパクト容器１０は、容器本体１１の背面側１２にヒンジ部１３を介して蓋体１５を開閉自在に取り付け、蓋体１５を閉位置でロック状態にするフック手段２０を容器本体１１の背面１１ａに備える。この背面１１ａに一対の板ばね２１と弾性変形可能なプレート片２２を取り付け、このプレート片２２に一対の係合突起２３を設けることによりフック手段２０を構成し、蓋体１５の背面側１６に、プレート片２２に臨むフック解除ボタン２５と、係合突起２３に係合して蓋体１５を閉位置Ｐ１でロック状態にする一対の係合爪２８と、蓋体１５を閉位置Ｐ１に配置した状態で板ばね２１を押圧できるようになる一対の押圧部２９を設けた。【選択図】  図２
2005095316.tif 000002
【特許請求の範囲】
【請求項１】
容器本体の背面側にヒンジ部を介して蓋体を開閉自在に取り付け、この蓋体をヒンジ部を中心にして容器本体の開口面を閉じる閉位置と、容器本体の開口面を開く開位置とに軸動可能となるように配設し、前記閉位置で蓋体をロック状態にするフック手段を容器本体の背面側に備えてなる背面フックコンパクト容器において、
前記容器本体の背面側に弾性部材と弾性変形可能なプレート片とをそれぞれ取り付け、このプレート片に係合突起を設けることによりフック手段を構成し、
前記蓋体の背面側に、前記プレート片に臨むフック解除ボタンと、前記係合突起に係合して蓋体を閉位置でロック状態にする係合爪と、蓋体を閉位置に配置した状態で前記弾性部材を押圧できるようになる押圧部とをそれぞれ設け、
前記フック解除ボタンを押圧して前記プレート片を弾性変形させることにより、前記係合爪から係合突起が外れるように構成し、前記押圧部に作用する前記弾性部材の弾性力で、ヒンジ部を軸にして前記蓋体を閉位置から開位置に軸動させるように構成したことを特徴とする背面フックコンパクト容器。
【請求項２】
前記フック解除ボタンは、前記蓋体の背面側に設けた弾性変形可能な押し片と、前記プレート片に臨ませる状態で、前記押し片に設けた突起とで構成したことを特徴とする請求項１記載の背面フックコンパクト容器。
【請求項３】
前記プレート片は、容器本体の背面側に一体に形成された部材であることを特徴とする請求項１又は請求項２記載の背面フックコンパクト容器。
【請求項４】
前記弾性部材は、板ばねであることを特徴とする請求項１乃至請求項３のいずれかに記載の背面フックコンパクト容器。
【発明の詳細な説明】
【技術分野】
【０００１】
本発明は背面フックコンパクト容器に係り、さらに詳しくは、容器本体の背面側にヒンジ部を介して蓋体を開閉自在に取り付け、この蓋体をヒンジ部を中心にして容器本体の開口面を閉じる閉位置と、容器本体の開口面を開く開位置とに軸動可能に構成し、蓋体を閉位置でロック状態にするフック手段を容器本体の背面側に備えてなる背面フックコンパクト容器に関する。
【背景技術】
【０００２】
化粧料を収納したコンパクト容器として、コンパクト容器の蓋体を閉位置でロック状態にするフック手段をコンパクト容器の正面側に設けたものが知られている。
このコンパクト容器においては、その蓋体を開く際には、コンパクト容器を片手で持ち、その親指でコンパクト容器の正面側に備えられている操作ボタンを押して、前記フック手段を解放していた。
この操作の際には、コンパクト容器を保持している片手の人差し指から小指までをコンパクト容器のヒンジ側（背面側）に添えることが一般的であった。
【０００３】
ところで、コンパクト容器のなかには、化粧料と塗布具を縦列に配置した縦型と称されるコンパクト容器（全体が縦長に形成されている）があるが、このような容器の蓋体を開く場合には、上述したようにコンパクト容器を持つ親指と他の４指とが大きく開いてしまい、コンパクト容器を安定的に保持し難くなる。
【０００４】
また、蓋体を開き、容器本体から塗布具を取り出し、この塗布具に化粧料を付けて顔などに化粧料を塗布しようとする際には、コンパクト容器を安定的に保持するために、コンパクト容器の左右側辺に指を添えるように持ち替えることになる。
このように、コンパクト容器の蓋体を開き、ついでコンパクト容器を持ち替えるために指の位置を変えるということは、一連の操作感の悪さにつながり、縦型コンパクト容器の使用性を低下させるなどの問題点があった。
【０００５】
この問題点を解消するために、容器本体の背面側にヒンジ部を介して蓋体を開閉自在に取り付け、この蓋体を閉位置でロック状態にするフック手段を容器本体の背面側に備えたコンパクト容器も、従来から開発されている（例えば、特許文献１参照）。
【０００６】
【特許文献１】特開昭６０−１８１６８号公報（第１頁、第1図及び第２図）
【０００７】
この特許文献１に記載されたコンパクト容器は、容器本体の背面側の連結部に軸を介して蓋体を軸動自在に取り付け、この連結部に係止片を突設させ、容器本体には蓋作動片を前後方向に摺動自在になるように取り付けている。
そして、この蓋作動片を指で正面側に押し出すことにより、係止片を軸動させて蓋体を開いていた。
【発明の開示】
【発明が解決しようとする課題】
【０００８】
この特許文献1のコンパクト容器によれば、蓋体を開閉する蓋作動片を、容器本体の背面側に備えたので、コンパクト容器の左右の側辺を片手で掴んだまま、人差し指をコンパクト容器の背面側に伸ばし、その人差し指で蓋作動片を正面側に押し出して蓋体を開き、その後、コンパクト容器を持ち替えることなく、容器本体から塗布具を取り出し、その塗布具に化粧料を付けて顔などに化粧料を塗布できるようになる。
【０００９】
しかしながら、特許文献１のコンパクト容器は、蓋体を開く際に、人差し指で蓋作動片を正面側に連続的に押し出す必要があるので、どうしても人差し指に大きな負担がかかってしまう。
さらに、人差し指で蓋作動片を正面側に連続的に押し出す操作は無理な操作を強いる結果となっていたため、例えば、蓋体を円滑に開けないという不具合が発生していた。
【００１０】
本発明は、縦型のコンパクト容器の左右の側辺に指を添えた状態でも、蓋体を簡単に開けられる背面フックコンパクト容器を提供して、上述した全ての問題点を解消しようとするものである。
【課題を解決するための手段】
【００１１】
上記目的を達成するために、請求項１記載の発明は、容器本体の背面側にヒンジ部を介して蓋体を開閉自在に取り付け、この蓋体をヒンジ部を中心にして容器本体の開口面を閉じる閉位置と、容器本体の開口面を開く開位置とに軸動可能となるように配設し、前記閉位置で蓋体をロック状態にするフック手段を容器本体の背面側に備えてなる背面フックコンパクト容器において、前記容器本体の背面側に弾性部材と弾性変形可能なプレート片とをそれぞれ取り付け、このプレート片に係合突起を設けることによりフック手段を構成し、前記蓋体の背面側に、前記プレート片に臨むフック解除ボタンと、前記係合突起に係合して蓋体を閉位置でロック状態にする係合爪と、蓋体を閉位置に配置した状態で前記弾性部材を押圧できるようになる押圧部とをそれぞれ設け、前記フック解除ボタンを押圧して前記プレート片を弾性変形させることにより、前記係合爪から係合突起が外れるように構成し、前記押圧部に作用する前記弾性部材の弾性力で、ヒンジ部を軸にして前記蓋体を閉位置から開位置に軸動させるように構成したことを特徴とする。
【００１２】
本発明に係る背面フックコンパクト容器によれば、コンパクト容器の背面側にフック手段を取り付けることで、コンパクト容器の左右の側辺を片手で掴んだまま、人差し指をコンパクト容器の背面に伸ばし、その指でフック手段のフック解除ボタンを正面側に押し出して蓋体を開くことができる。
よって、蓋体を開いた後、コンパクト容器を持ち替えることなく、塗布具に化粧料を取り、顔などに化粧料を塗布することができるようになる。
【００１３】
さらに、フック手段のフック解除ボタンを押圧してプレート片を弾性変形させ、これにより係合爪から係合突起を外すことにより、押圧部に作用する弾性部材の弾性力で蓋体を開位置に軸動させることができる。
よって、フック解除ボタンに一時的に押圧力をかけてプレート片を弾性変形させるだけで、その後は、弾性部材の弾性力を利用して蓋体を開位置に軸動させることができる。
【００１４】
請求項２は、前記フック解除ボタンは、前記蓋体の背面側に設けた弾性変形可能な押し片と、前記プレート片に臨ませる状態で、前記押し片に設けた突起とで構成したことを特徴とする。
【００１５】
フック解除ボタンを、蓋体の背面側に設けた弾性変形可能な押し片と、押し片に設けることでプレート片に臨ませるようにした突起という、少ない部品点数からなる簡単な構成とすることができたので、コンパクト容器の組付け作業を簡素にした。
【００１６】
請求項３は、前記プレート片は、容器本体の背面側に一体に形成された部材であることを特徴とする。
【００１７】
プレート片を容器本体の背面側に一体に形成することで簡単な構成として、コンパクト容器の組付け作業を簡素にした。
【００１８】
請求項４は、前記弾性部材は、板ばねであることを特徴とする。
【００１９】
板ばねは簡単な構成で、比較的入手が容易であるから、弾性部材として板ばねを使用することで、コンパクト容器の製造コストを抑えることができる。
【発明の効果】
【００２０】
以上述べたように、請求項１による背面フックコンパクト容器によれば、コンパクト容器の背面側にフック手段を備えることで、コンパクト容器の左右の側辺を片手で掴んだまま、人差し指をコンパクト容器の背面側に伸ばし、その人差し指でフック手段のフック解除ボタンを正面側に押し出して蓋体を開くことができるため、蓋体を開けた後、コンパクト容器を持ち替えることなく、塗布具に化粧料を取り、顔などに化粧料を塗布することができる。
【００２１】
さらに、フック手段のフック解除ボタンを押圧してプレート片を弾性変形させ、係合爪から係合突起を外すことにより、押圧部に作用する弾性部材の弾性力で蓋体を開位置に軸動させることができる。
【００２２】
これにより、フック解除ボタンに一時的に押圧力をかけてプレート片を弾性変形させるだけで、その後は、弾性部材の弾性力を利用して蓋体を開位置に軸動させることが可能となり、人差し指に一時的に力を入れるだけで、蓋体を簡単に、かつスムーズに開くことができ、使い勝手の向上を図ることができる。
【００２３】
請求項２は、フック解除ボタンを、蓋体の背面側に設けた弾性変形可能な押し片と、押し片に設けることでプレート片に臨ませた突起という、きわめて少ない部品点数からなる簡単な構成としたので、コンパクト容器の組付け作業を簡素にでき、コンパクト容器の製造コストを抑えることができる。
【００２４】
請求項３は、プレート片を容器本体の背面側に一体に形成することで簡単な構成として、コンパクト容器の組付け作業を簡素にでき、コンパクト容器の製造コストを抑えることができる。
【００２５】
請求項４は、弾性部材として板ばねを使用したが、板ばねは簡単な構成で、比較的入手が容易である。
これにより、弾性部材として板ばねを使用することで、コンパクト容器の製造コストを抑えることができるようになった。
【発明を実施するための最良の形態】
【００２６】
以下添付図面に基づいて、本発明に係る背面フックコンパクト容器の実施例を詳説する。
図１は本発明に係る背面フックコンパクト容器を示す斜視図、図２は本発明に係る背面フックコンパクト容器の要部を示す分解斜視図、図３は本発明に係る背面フックコンパクト容器の要部を示す断面図である。
【実施例１】
【００２７】
図１乃至図３に示す背面フックコンパクト容器１０は、容器本体１１の背面側１２にヒンジ部１３を介して蓋体１５を設け、この蓋体１５をヒンジ部１３を中心にして容器本体１１を閉じる閉位置Ｐ１と、容器本体１１を開く開位置Ｐ２（図７参照）との両位置間を軸動可能となるように構成され、閉位置Ｐ１で蓋体１５をロック状態にするフック手段２０を容器本体１１の背面１１ａに備えるようにしている。
【００２８】
このフック手段２０は、容器本体１１の背面１１ａに、弾性部材として一対の板ばね２１を設けるとともに、弾性変形可能なプレート片２２を設け、このプレート片２２に一対の係合突起２３を設け、蓋体１５の背面側１６に、プレート片２２に臨むフック解除ボタン２５、係合突起２３に係合して蓋体１５を閉位置Ｐ１でロック状態にする一対の係合爪２８、及び蓋体１５を閉位置Ｐ１に配置した状態で板ばね２１を押圧する一対の押圧部２９を設けたものである。
【００２９】
フック解除ボタン２５は、蓋体１５の背面側１６に設けた弾性変形可能な押し片２６と、この押し片２６に設けることでプレート片２２に臨ませた突起２７とからなる。
よって、フック解除ボタン２５を、押し片２６と突起２７とからなる少ない部品点数で簡単な構成とすることができる。
【００３０】
プレート片２２は、容器本体１１の背面１１ａ中央に一体に形成された部材である。
プレート片２２を、容器本体１１の背面１１ａに一体に形成することで簡単な構成とすることができる。
さらに、プレート片２２を、容器本体１１の背面１１ａ中央に配置することで、人差し指４５（図４参照）でむりなく押圧することが可能になる。
【００３１】
弾性部材として板ばね２１を使用することで、弾性部材を簡素な構成とすることができ、小さなスペースに容易に組み付けることができる。
板ばね２１は、一対の係合突起２３の外側に設けられ、略く字状に折り曲げた部材である。
この板ばね２１は、その頂部を後方に向けて突出させ、その両端を容器本体１１の背面１１ａにスライド自在に設けられている。
【００３２】
よって、板ばね２１の頂部に押圧力をかけることにより、板ばねの両端が外側、すなわち上下方向にスライド移動して、頂部を容器本体１１の背面１１ａに近づくように弾性変形させることができる。
【００３３】
次に、本発明の背面フックコンパクト容器１０の作用を図４乃至図７に基づいて説明する。
図４に示すように、コンパクト容器１０の左右の側辺１０ａ，１０ｂに片手４０の指を添える。
具体的には、コンパクト容器１０の左側辺１０ａに親指４１を当て、コンパクト容器１０の右側辺１０ｂに中指４２、薬指４３及び小指４４を当て、それぞれの指４１〜４４でコンパクト容器１０を掴む。
【００３４】
この状態で、人差し指４５をコンパクト容器１０の背面側に伸ばして、この人差し指４５で、図５に示すフック解除ボタン２５の押し片２６を矢印Ａの方向に押圧する。
【００３５】
図５に示すように、フック解除ボタン２５の押し片２６を矢印Ａの方向に押圧することにより、フック解除ボタン２５の押し片２６が弾性変形し、フック解除ボタン２５の突起２７でプレート片２２を押圧することにより、プレート片２２を矢印Ｂの方向に弾性変形させる。
【００３６】
プレート片２２を矢印Ｂの方向に弾性変形させることにより、プレート片２２と一緒に係合突起２３が矢印Ｂの方向に移動し、係合突起２３が係合爪２８から外れる。
【００３７】
係合突起２３が係合爪２８から外れることにより、押圧部２９で押圧されていた板ばね２１が、元の状態に復元可能となり、板ばね２１の弾性力で押圧部２９を矢印Ｃの方向に押圧する。
【００３８】
このため、図６に示すように、押圧部２９がヒンジ軸１３を中心にして矢印Ｄの方向に移動する。
これにより、蓋体１５がヒンジ部１３を軸にして閉位置Ｐ１（図１、図５参照）から開位置Ｐ２（図７参照）まで矢印Ｄの方向に軸動する。
【００３９】
以上説明したように、本発明の背面フックコンパクト容器１０によれば、コンパクト容器１０の背面にフック手段２０を備えることで、コンパクト容器１０の左右の側辺１０ａ，１０ｂに片手４０の指をあてがい、人差し指４５をコンパクト容器１０の背面に伸ばし、その人差し指４５でフック手段２０のフック解除ボタン２５を正面側に押し出して蓋体１５を開くことができる。
【００４０】
よって、蓋体１５を開けた後、コンパクト容器１０を持ち替えることなく、空いている片手（図示せず）で容器本体１１から塗布具４７を取り出し、その塗布具４７に化粧料４８を付けて顔などに化粧料４８を塗布することができる。
【００４１】
さらに、フック手段２０のフック解除ボタン２５を押圧することにより、プレート片２２を弾性変形させ、係合爪２８から係合突起２３を外して、押圧部２９に作用する板ばね２１の弾性力で、蓋体１５を開位置Ｐ２まで軸動させることができる。
【００４２】
よって、フック解除ボタン２５に人差し指４５で一時的に押圧力をかけてプレート片２２を弾性変形させるだけで、その後は、板ばね２１の弾性力を利用して蓋体１５を開位置Ｐ２まで軸動させることができる。
したがって、人差し指４５に一時的に力を入れるだけで、蓋体１５を簡単に、かつスムーズに開くことができ、コンパクト容器１０の使い勝手の向上を図ることができる。
【００４３】
なお、前記実施例では、弾性部材として板ばね２１を使用した例について説明したが、弾性部材はこれに限られることはなく、例えば圧縮ばね等その他の弾性部材を使用することも可能である。
【００４４】
また、前記実施例では、板ばね２１、係合突起２３、係合爪２８及び押圧部２９をそれぞれ一対設けた例について説明したが、各部材２１、２３、２８、２９の個数はこれに限られることなく任意に決めることが可能である。
【００４５】
さらに、前記実施例では、コンパクト容器１０を片手４０で掴みながら、蓋体１５を開く例について説明したが、この片手は利き手でない方を使用することが一般的であり、それは左手であっても右手であってもかまわない。
【産業上の利用可能性】
【００４６】
縦型コンパクト容器の利用される分野において、特に使い勝手が向上し、大変便利なものとなる。
【図面の簡単な説明】
【００４７】
【図１】本発明に係る背面フックコンパクト容器を示す斜視図である。
【図２】本発明に係る背面フックコンパクト容器の要部を示す分解斜視図である。
【図３】本発明に係る背面フックコンパクト容器の要部を示す断面図である。
【図４】本発明に係る背面フックコンパクト容器の作用を説明する斜視図であり、蓋体を閉じた状態を示す図である。
【図５】本発明に係る背面フックコンパクト容器の作用を説明する断面図である。
【図６】本発明に係る背面フックコンパクト容器の作用を説明する断面図である。
【図７】本発明に係る背面フックコンパクト容器の作用を説明する斜視図であり、蓋体を開いた状態を示す図である。
【符号の説明】
【００４８】
１０…背面フックコンパクト容器
１１…容器本体
１１ａ…容器本体の背面
１２…容器本体の背面側
１３…ヒンジ部
１５…蓋体
１６…蓋体の背面側
２０…フック手段
２１…板ばね（弾性部材）
２２…プレート片
２３…係合突起
２５…フック解除ボタン
２６…押し片
２７…突起
２８…係合爪
２９…押圧部
Ｐ１…閉位置
Ｐ２…開位置
【図１】
2005095316.tif 000003
【図２】
2005095316.tif 000004
【図３】
2005095316.tif 000005
【図４】
2005095316.tif 000006
【図５】
2005095316.tif 000007
【図６】
2005095316.tif 000008
【図７】
2005095316.tif 000009